【手続補正書】
【提出日】平成29年8月22日(2017.8.22)
【手続補正１】
【補正対象書類名】特許請求の範囲
【補正対象項目名】全文
【補正方法】変更
【補正の内容】
【特許請求の範囲】
【請求項１】
−繰り返しの連続で１つのタイムスロットサイクルにつき複数のタイムスロット（Ｚ１−ＺＮ）が通信のために設けられ、各タイムスロット（Ｚ１−ＺＮ）に一義的なタイムスロット記号（ＺＳ１−ＺＳＮ）が付けられているタイムスロット通信方法を用いて、複数の無線タグ（７−１４）と通信するための通信ステーション（３、４）を含むシステム（１）であって、
−上記通信ステーションは、目下のタイムスロット（Ｚ１−ＺＮ）のためにそのタイムスロット記号（Ｚ１−ＺＮ）を含む同期化データ信号（ＳＤ）を発信するように構成されており、
−無線タグ（７−１５）は、
＋ウェークアップ時刻（ＴＡ１）に、スリープ状態（Ｓ）からアクティブ状態（Ｅ）に切り替え、
＋アクティブ状態（Ｅ）で、同期化データ信号（ＳＤ）を受信し、
＋受信したタイムスロット記号（ＺＳ１−ＺＳＮ）が、無線タグ（７−１５）に指定されたタイムスロット（Ｚ１−ＺＮ）を表示する場合に、目下のタイムスロットサイクルの後続のタイムスロットサイクルに、指定されているタイムスロット（Ｚ１−ＺＮ）の次の出現に対応する新ウェークアップ時刻（ＴＡ２）を定義するように構成されている、システム。
【請求項２】
受信したタイムスロット記号（ＺＳ１−ＺＳＮ）が、無線タグ（７−１４）に指定されていないタイムスロット（Ｚ１−ＺＮ）を表示すれば、無線タグ（７−１４）は、指定されたタイムスロット（Ｚ１−ＺＮ）が目下のタイムスロットサイクルに出現する場合は目下のタイムスロットサイクルの間に、または、指定されたタイムスロット（Ｚ１−ＺＮ）が目下のタイムスロットサイクルにもはや出現しない場合には目下のタイムスロットサイクルの後続のタイムスロットサイクル間に、指定されているタイムスロット（Ｚ１−ＺＮ）の次の出現に対応する新ウェークアップ時刻（ＴＡ２）を定義するように構成されている、請求項１に記載のシステム（１）。
【請求項３】
上記無線タグはタイムスロット通信方法のパラメータ保存のための保存ステージ（２６）を含み、無線タグ（７−１４）は、新ウェークアップ時刻（ＴＡ２）の定義のためにこのパラメータをアクセスおよび評価するように構成されている、請求項１または２に記載のシステム（１）。
【請求項４】
無線タグ（７−１４）は、その無線タグに指定されたタイムスロット（Ｚ１−ＺＮ）を表すタイムスロット記号（ＺＳ１−ＺＳＮ）の表示を保存するための保存ステージ（２６）を含む、請求項１から３までのいずれか１項に記載のシステム（１）。
【請求項５】
タイムスロット記号（ＺＳ１−ＺＳＮ）の上記表示は、無線タグ（７−１４）を一義的に確認する無線タグ（７−１４）のハードウェアアドレスを使用して構成され、不変なように保存ステージ（２６）中にプログラム入力されている、請求項４に記載のシステム（１）。
【請求項６】
タイムスロット記号の上記表示は、上記ハードウェアアドレスの最下位ビットまたは最下位バイトにより実現されている、請求項５に記載のシステム（１）。
【請求項７】
上記無線タグは、無線タグが知るタイムスロット記号が、同期化データ信号を受信するときのタイムスロット信号と一致するかどうかを確認するように構成されている、請求項１から６までのいずれか１項に記載のシステム（１）。
【請求項８】
通信ステーションは、タイムスロットサイクル中におけるタイムスロットの順番に沿った出現に応じて各タイムスロットの連続する番号としてタイムスロット記号を生成するように構成されている、請求項１から７までのいずれか１項に記載のシステム（１）。
【請求項９】
−通信ステーション（３、４）は、アドレスデータ（ＡＤ）を同期化データ信号（ＳＤ）に埋め込むように構成されており、このアドレスデータ（ＡＤ）を用いて、上記無線タグ（７−１４）に指定された１つのタイムスロット（Ｚ１−ＺＮ）につき複数の無線タグ（７−１４）が個別的アドレスでき、
−無線タグ（７−１４）は、受信したタイムスロット記号（ＺＳ１−ＺＳＮ）が、無線タグ（７−１４）に指定されたタイムスロット（Ｚ１−ＺＮ）を表示する場合、含まれているアドレスデータ（ＡＤ）に関して同期化データ信号（ＳＤ）を評価することと、該当無線タグ（７−１４）が個別的アドレスされているかを確認するように構成されている、請求項１から８までのいずれか１項に記載のシステム（１）。
【請求項１０】
通信ステーション（３、４）は、無新タグ（７−１４）を一義的に確認する無線タグ（７−１４）のハードウェアアドレスの１つまたは複数のビットあるいはバイト（Ｂ３，Ｂ２，Ｂ１）を使用し、特に、最下位ビットまたは最下位バイト（Ｂ０）を省略して、アドレスデータ（ＡＤ）を生成するように構成されている、請求項９に記載のシステム（１）。
【請求項１１】
−通信ステーション（３、４）は、コマンドデータ（ＣＤ）を同期化データ信号（ＳＤ）に埋め込むように構成されており、このコマンドデータ（ＣＤ）を用いて、上記無線タグ（７−１４）に指定されたタイムスロット（Ｚ１−ＺＮ）の間にコマンドを１つの無線タグ（７−１４）へ送信でき、
−無線タグ（７−１５）は、受信したタイムスロット記号（ＺＳ１−ＺＳＮ）が、無線タグ（７−１４）に指定されたタイムスロット（Ｚ１−ＺＮ）を表示する場合、含まれているコマンドデータ（ＣＤ）に関して同期化データ信号（ＳＤ）を評価することと、コマンドを実行するように構成されている、請求項１から１０までのいずれか１項に記載のシステム（１）。
【請求項１２】
無線タグ（７−１４）は、アドレスデータ（ＡＤ）を用いて無線タグ（７−１４）が個別的アドレスされている場合に、コマンドデータ（ＣＤ）を評価し、そのコマンドを実行するように構成されている、請求項１１に記載のシステム（１）。
【請求項１３】
無線タグ（７−１４）は、コマンドを受信したただ一つのタイムスロット（Ｚ１−ＺＮ）内で、コマンドを単タイムスロットコマンドとして実行し、実行されたコマンドを完了するように構成されている、請求項１１または１２に記載のシステム（１）。
【請求項１４】
−無線タグ（７−１４）は、実行されているコマンドを完了する際、コマンドを受信したタイムスロット（Ｚ１−ＺＮ）において確認データ（ＡＣＤ）を生成してその確認データ（ＡＣＤ）を送信するように構成されている、請求項１３に記載のシステム（１３）。
【請求項１５】
−無線タグ（７−１４）は、タイムスロット（Ｚ１−ＺＮ）の第１部分（３６）において確認データ（ＡＣＤ）を送信するように構成されており、その第１部分（３６）は、時間的に同期化データ信号（ＳＤ）の後続に位置付けられており、次のタイムスロット（Ｚ１−ＺＮ）の同期化データ信号（ＳＤ）が出現する前のタイムスロット（Ｚ１−ＺＮ）の続きの第２部分（３７）に触れない、請求項１４に記載のシステム（１）。
【請求項１６】
−無線タグ（７−１４）は１つのコマンドをマルチタイムスロットコマンドとして複数のタイムスロット（Ｚ１−ＺＮ）にわたって実行するように構成されている、請求項１１または１２に記載のシステム（１）。
【請求項１７】
システム（１）は電子価格表示システムを実現し、無線タグ（７−１４）の表示ユニット（２７）は商品情報または価格情報などの表示として使われる、請求項１から１６までのいずれか１項に記載のシステム（１）。
【請求項１８】
−通信ステーション（３、４）は、各タイムスロット（Ｚ１−ＺＮ）の始まりにおいて同期化データ信号（ＳＤ）を送信するように構成されている、請求項１から１７までのいずれか１項に記載のシステム（１）。
【請求項１９】
−通信ステーション（３、４）は、確認期間データ（ＤＲ１−ＤＲ３）を同期化データ信号（ＳＤ）に埋め込むように構成されており、その確認期間データ（ＤＲ１−ＤＲ３）を用いて、無線タグ（７−１４）の確認データ（ＡＣＤ）が予想される、タイムスロット（Ｚ１−ＺＮ）内の確認時刻が決定でき、
−無線タグ（７−１４）は、上記時刻に確認データ（ＡＣＤ）を送信するように構成されている、請求項１から１８までのいずれか１項に記載のシステム（１）。
【請求項２０】
複数の通信ステーション（３、４）と、複数の無線タグ（７−１４）と、無線タグ（７−１４）に通信ステーション（３、４）の既存の接続を終了させて他の通信ステーション（３、４）に接続させるように構成されている情報処理装置（２）とを含む、請求項１から１９までのいずれか１項に記載のシステム（１）。